(57)【要約】【課題】  遊技場係員による不正の発見を支援する遊技場管理システム及び管理装置を提供する。【解決手段】  パチンコ機の本体枠と機枠、前面枠と本体枠に監視タグとその監視タグと通信する監視アンテナを取り付け、Ｒ／Ｗユニットが監視アンテナを介して監視タグと通信を行って、開閉の監視を行う。また、遊技場係員は認証カードを所有し、パチンコ機の作業を行う際には、Ｒ／Ｗユニットを認証状態とする。認証状態中に監視場所の開閉が検知された場合には、異常でなく作業が行われていると判断され、その作業の状況を示す作業情報がホールコンピュータに送信される。ホールコンピュータでは作業回数を計数し、所定数以上になると図１５のような報知画面を表示し、作業回数が多く不正が行われている可能性があることを報知する。【選択図】  図１５
2006081702.tif 000002
【特許請求の範囲】
【請求項１】
他のＩＣタグと識別するための識別情報を記憶したＩＣタグである監視タグを遊技機の監視場所に取り付け、自身が接続している遊技機の前記監視タグと無線通信を行うことで当該遊技機の監視を行う監視制御装置と、当該監視制御装置にネットワークを介して接続し、前記監視制御装置による監視結果を管理する管理装置とを有する遊技場管理システムであって、
前記監視タグと無線通信が行えない場合、又は、予め当該監視制御装置に記憶されている識別情報とは異なる識別情報の監視タグと通信を行った場合に異常と判断する異常判断手段と、
前記遊技機の操作を許可されている人物を識別するための情報である認証識別情報を記憶する認証識別情報記憶手段と、
前記認証識別情報を入力する認証識別情報入力手段と、
当該認証識別情報入力手段により入力された前記認証識別情報が前記認証識別情報記憶手段に記憶されているか否かに基づいて、前記認証識別情報を入力した人物が前記遊技機の操作を許可されている人物であるか否かを判断する人物認証手段と、  
当該人物認証手段により前記遊技機の操作を許可されている人物であると判断された場合には、前記監視制御装置を認証状態とする認証状態設定手段と、
前記異常判断手段により異常と判断された場合に前記認証状態中であれば、前記人物認証手段により認証された人物により前記遊技機に対する作業が行われていると判断する作業判断手段と、
当該作業判断手段により判断された作業に関する情報である作業情報を記憶する作業情報記憶手段と、
当該作業情報記憶手段に記憶されている前記作業情報について、所定の作業が行われた回数を計数する作業回数計数手段と、
当該作業回数計数手段により計数された作業回数が所定回数以上となったか否かを判断する作業回数判断手段と、
当該作業回数判断手段により前記作業回数が所定回数以上となったと判断された場合に報知を行う報知手段とを備えたことを特徴とする遊技場管理システム。
【請求項２】
前記監視制御装置は、
前記異常判断手段と、前記認証識別情報記憶手段と、前記認証識別情報入力手段と、前記人物認証手段と、前記認証状態設定手段と、前記作業判断手段とを備えており、
前記作業情報を前記管理装置へ送信する作業情報送信手段を備え、
前記管理装置は、
前記作業情報記憶手段と、前記作業回数計数手段と、前記作業回数判断手段と、前記報知手段とを備えており、
前記作業情報送信手段から送信された前記作業情報を受信する作業情報受信手段を備え、
前記作業情報記憶手段は前記作業情報受信手段が受信した前記作業情報を記憶することを特徴とする請求項１に記載の遊技場管理システム。
【請求項３】
前記認証識別情報と、個人を特定するための情報である人物情報と関連付けて記憶する人物特定情報記憶手段と、
当該人物特定情報記憶手段に記憶されている前記認証識別情報及び前記人物情報に基づいて、前記認証識別情報入力手段により前記認証識別情報を入力した人物を特定する人物特定手段とを備え、
前記報知手段は、前記人物特定手段により特定された前記人物情報も報知することを特徴とする請求項１又は２に記載の遊技場管理システム。
【請求項４】
前記管理装置は、
複数の前記監視制御装置を接続し、遊技場内に設置された第１管理装置と、
複数の当該第１管理装置を接続した総合管理装置とで構成され、
報知手段は総合管理装置に備えられていることを特徴とする請求項１乃至３のいずれかに記載の遊技場管理システム。
【請求項５】
前記認証識別情報は、遊技場係員が所有する認証部材に搭載されている前記ＩＣタグである認証タグの識別情報であり、
前記認証識別情報入力手段は、前記認証タグから前記識別情報を読み出す認証タグ読出手段であることを特徴とする請求項１乃至４のいずれかに記載の遊技場管理システム。
【請求項６】
前記作業回数計数手段は、作業が行われた場所、作業の内容、及び、作業を行った人物のうちの少なくとも１つごとに作業回数を計数することを特徴とする請求項１乃至５のいずれかに記載の遊技場管理システム。
【請求項７】
前記作業回数判断手段における判断基準となる作業回数は、作業が行われた場所、作業の内容、又は、作業を行った人物により異なることを特徴とする請求項１乃至６のいずれかに記載の遊技場管理システム。
【請求項８】
前記報知手段による報知は、作業回数が所定回数以上となった際、又は、予め定められた時刻に行われることを特徴とする請求項１乃至７のいずれかに記載の遊技場管理システム。
【請求項９】
自身が接続している遊技機に取り付けられた、他のＩＣタグと識別するための識別情報を記憶したＩＣタグである監視タグと無線通信を行うことで当該遊技機の監視を行う監視制御装置に、ネットワークを介して接続し、前記監視制御装置による監視の結果を管理する管理装置であって、
前記監視制御装置から送信された、前記遊技機に対して行われた作業に関する情報である作業情報を記憶する作業情報記憶手段と、
当該作業情報記憶手段に記憶されている前記作業情報について、所定の作業が行われた回数を計数する作業回数計数手段と、
当該作業回数計数手段により計数された作業回数が所定回数以上となったか否かを判断する作業回数判断手段と、
当該作業回数判断手段により前記作業回数が所定回数以上となったと判断された場合に報知を行う報知手段とを備えたことを特徴とする管理装置。
【請求項１０】
複数の前記監視制御装置を接続し、遊技場内に設置された第１管理装置と、
複数の当該第１管理装置を接続した総合管理装置とで構成され、
報知手段は総合管理装置に備えられていることを特徴とする請求項９に記載の管理装置。
【請求項１１】
前記作業回数計数手段は、作業が行われた場所、作業の内容、及び、作業を行った人物のうちの少なくとも１つごとに作業回数を計数することを特徴とする請求項９又は１０に記載の管理装置。
【請求項１２】
前記作業回数判断手段における判断基準となる作業回数は、作業が行われた場所、作業の内容、又は、作業を行った人物により異なることを特徴とする請求項９乃至１１のいずれかに記載の管理装置。
【請求項１３】
前記報知手段による報知は、作業回数が所定回数以上となった際、又は、予め定められた時刻に行われることを特徴とする請求項９乃至１２のいずれかに記載の管理装置。
【発明の詳細な説明】
【技術分野】
【０００１】
本発明は遊技場管理システム及び管理装置に関し、詳細には、遊技場係員による不正の発見を支援する遊技場管理システム及び管理装置に関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、ＩＣタグを用いて遊技機に対する不正行為を監視するシステムが提案されている（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１の発明では、遊技機の前面枠及び本体枠の開閉に用いられる鍵に認証用ＩＣタグが設けられており、鍵が鍵穴に差し込まれている間は認証状態とされている。そして、認証状態中に監視用ＩＣタグの状態に異常が発生したとしても、それは係員による作業による異常であるとみなされ、管理端末装置で異常発生の報知を行わないようにしている。
【特許文献１】特開２００４−１９９１２４号公報
【発明の開示】
【発明が解決しようとする課題】
【０００４】
しかしながら、係員が不正を働く可能性があるという問題点がある。この場合には、異常の発生が報知されないため、不正が行われていることに気がつかない。
【０００５】
本発明は、上記課題を解決するためになされたものであり、遊技場係員による不正の発見を支援する遊技場管理システム及び管理装置を提供することを目的とする。
【課題を解決するための手段】
【０００６】
上記課題を解決するため、請求項１に係る発明の遊技場管理システムでは、他のＩＣタグと識別するための識別情報を記憶したＩＣタグである監視タグを遊技機の監視場所に取り付け、自身が接続している遊技機の前記監視タグと無線通信を行うことで当該遊技機の監視を行う監視制御装置と、当該監視制御装置にネットワークを介して接続し、前記監視制御装置による監視結果を管理する管理装置とを有する遊技場管理システムであって、前記監視タグと無線通信が行えない場合、又は、予め当該監視制御装置に記憶されている識別情報とは異なる識別情報の監視タグと通信を行った場合に異常と判断する異常判断手段と、前記遊技機の操作を許可する人物を識別するための情報である認証識別情報を記憶する認証識別情報記憶手段と、前記認証識別情報を入力する認証識別情報入力手段と、当該認証識別情報入力手段により入力された前記認証識別情報が前記認証識別情報記憶手段に記憶されているか否かに基づいて、前記認証識別情報を入力した人物が前記遊技機の操作を許可されている人物であるか否かを判断する人物認証手段と、当該人物認証手段により前記遊技機の操作を許可されている人物であると判断された場合には、前記監視制御装置を認証状態とする認証状態設定手段と、前記異常判断手段により異常と判断された場合に前記認証状態中であれば、前記人物認証手段により認証された人物により前記遊技機に対する作業が行われていると判断する作業判断手段と、当該作業判断手段により判断された作業に関する情報である作業情報を記憶する作業情報記憶手段と、当該作業情報記憶手段に記憶されている前記作業情報について、所定の作業が行われた回数を計数する作業回数計数手段と、当該作業回数計数手段により計数された作業回数が所定回数以上となったか否かを判断する作業回数判断手段と、当該作業回数判断手段により前記作業回数が所定回数以上となったと判断された場合に報知を行う報知手段とを備えたことを特徴とする構成となっている。尚、呼出波を送信し、当該呼出波を受信した前記ＩＣタグから返送される反射波を受信することにより前記ＩＣタグと無線通信を行う通信手段を備えていてよい。
【０００７】
また、請求項２に係る発明の遊技場管理システムでは、請求項１に記載の発明の構成に加えて、前記監視制御装置は、前記異常判断手段と、前記認証識別情報記憶手段と、前記認証識別情報入力手段と、前記人物認証手段と、前記認証状態設定手段と、前記作業判断手段とを備えており、前記作業情報を前記管理装置へ送信する作業情報送信手段を備え、前記管理装置は、前記作業情報記憶手段と、前記作業回数計数手段と、前記作業回数判断手段と、前記報知手段とを備えており、前記作業情報送信手段から送信された前記作業情報を受信する作業情報受信手段を備え、前記作業情報記憶手段は前記作業情報受信手段が受信した前記作業情報を記憶することを特徴とする構成となっている。尚、前記監視制御装置は、呼出波を送信し、当該呼出波を受信した前記ＩＣタグから返送される反射波を受信することにより前記ＩＣタグと無線通信を行う通信手段を備えていてよい。
【０００８】
また、請求項３に係る発明の遊技場管理システムでは、請求項１又は２に記載の発明の構成に加えて、前記認証識別情報と、個人を特定するための情報である人物情報と関連付けて記憶する人物特定情報記憶手段と、当該人物特定情報記憶手段に記憶されている前記認証識別情報及び前記人物情報に基づいて、前記認証識別情報入力手段により前記認証識別情報を入力した人物を特定する人物特定手段とを備え、前記報知手段は、前記人物特定手段により特定された前記人物情報も報知することを特徴とする構成となっている。
【０００９】
また、請求項４に係る発明の遊技場管理システムでは、請求項１乃至３のいずれかに記載の発明の構成に加えて、前記管理装置は、複数の前記監視制御装置を接続し、遊技場内に設置された第１管理装置と、複数の当該第１管理装置を接続した総合管理装置とで構成され、報知手段は総合管理装置に備えられていることを特徴とする構成となっている。
【００１０】
また、請求項５に係る発明の遊技場管理システムでは、請求項１乃至４のいずれかに記載の発明の構成に加えて、前記認証識別情報は、遊技場係員が所有する認証部材に搭載されている前記ＩＣタグである認証タグの識別情報であり、前記認証識別情報入力手段は、前記認証タグから前記識別情報を読み出す認証タグ読出手段であることを特徴とする構成となっている。
【００１１】
また、請求項６に係る発明の遊技場管理システムでは、請求項１乃至５のいずれかに記載の発明の構成に加えて、前記作業回数計数手段は、作業が行われた場所、作業の内容、及び、作業を行った人物のうちの少なくとも１つごとに作業回数を計数することを特徴とする構成となっている。
【００１２】
また、請求項７に係る発明の遊技場管理システムでは、請求項１乃至６のいずれかに記載の発明の構成に加えて、前記作業回数判断手段における判断基準となる作業回数は、作業が行われた場所、作業の内容、又は、作業を行った人物により異なることを特徴とする構成となっている。
【００１３】
また、請求項８に係る発明の遊技場管理システムでは、請求項１乃至７のいずれかに記載の発明の構成に加えて、前記報知手段による報知は、作業回数が所定回数以上となった際、又は、予め定められた時刻に行われることを特徴とする構成となっている。
【００１４】
また、請求項９に係る発明の管理装置では、自身が接続している遊技機に取り付けられた、他のＩＣタグと識別するための識別情報を記憶したＩＣタグである監視タグと無線通信を行うことで当該遊技機の監視を行う監視制御装置に、ネットワークを介して接続し、前記監視制御装置による監視の結果を管理する管理装置であって、前記監視制御装置から送信された、前記遊技機に対して行われた作業に関する情報である作業情報を記憶する作業情報記憶手段と、当該作業情報記憶手段に記憶されている前記作業情報について、所定の作業が行われた回数を計数する作業回数計数手段と、当該作業回数計数手段により計数された作業回数が所定回数以上となったか否かを判断する作業回数判断手段と、当該作業回数判断手段により前記作業回数が所定回数以上となったと判断された場合に報知を行う報知手段とを備えたことを特徴とする構成となっている。
【００１５】
また、請求項１０に係る発明の管理装置では、請求項９に記載の発明の構成に加えて、複数の前記監視制御装置を接続し、遊技場内に設置された第１管理装置と、複数の当該第１管理装置を接続した総合管理装置とで構成され、報知手段は総合管理装置に備えられていることを特徴とする構成となっている。
【００１６】
また、請求項１１に係る発明の管理装置では、請求項９又は１０に記載の管理装置発明の構成に加えて、前記作業回数計数手段は、作業が行われた場所、作業の内容、及び、作業を行った人物のうちの少なくとも１つごとに作業回数を計数することを特徴とする構成となっている。
【００１７】
また、請求項１２に係る発明の管理装置では、請求項９乃至１１のいずれかに記載の発明の構成に加えて、前記作業回数判断手段における判断基準となる作業回数は、作業が行われた場所、作業の内容、又は、作業を行った人物により異なることを特徴とする構成となっている。
【００１８】
また、請求項１３に係る発明の管理装置では、請求項９乃至１２のいずれかに記載の発明の構成に加えて、前記報知手段による報知は、作業回数が所定回数以上となった際、又は、予め定められた時刻に行われることを特徴とする構成となっている。
【発明の効果】
【００１９】
請求項１に係る発明の遊技場管理システムでは、異常判断手段は、監視タグと無線通信が行えない場合、又は、予め監視制御装置に記憶されている識別情報とは異なる識別情報の監視タグと通信を行った場合に異常と判断し、認証識別情報記憶手段は、遊技機の操作を許可する人物を識別するための情報である認証識別情報を記憶し、認証識別情報入力手段は、認証識別情報を入力し、人物認証手段は、認証識別情報入力手段により入力された認証識別情報が認証識別情報記憶手段に記憶されているか否かに基づいて、認証識別情報を入力した人物が遊技機の操作を許可されている人物であるか否かを判断し、認証状態設定手段は、人物認証手段により遊技機の操作を許可されている人物であると判断された場合には、監視制御装置を認証状態とし、作業判断手段は、異常判断手段により異常と判断された場合に認証状態中であれば、人物認証手段により認証された人物により遊技機に対する作業が行われていると判断し、作業情報記憶手段は、作業判断手段により判断された作業に関する情報である作業情報を記憶し、作業回数計数手段は、作業情報記憶手段に記憶されている作業情報について、所定の作業が行われた回数を計数し、作業回数判断手段は、作業回数計数手段により計数された作業回数が所定回数以上となったか否かを判断し、報知手段は、作業回数判断手段により作業回数が所定回数以上となったと判断された場合に報知を行うことができる。したがって、遊技機の操作を許可されている人物により遊技機の操作が行われた場合には、その作業回数を計数することができるので、頻繁に作業を行った人物を知ることができる。よって、不正を行っている可能性のある係員を割り出す支援をすることができる。
【００２０】
また、請求項２に係る発明の遊技場管理システムでは、請求項１に記載の発明の効果に加えて、監視制御装置には、異常判断手段と、認証識別情報記憶手段と、認証識別情報入力手段と、人物認証手段と、認証状態設定手段と、作業判断手段とが備えられており、作業情報送信手段が作業情報を管理装置へ送信することができる。そして、管理装置には作業情報記憶手段と、作業回数計数手段と、作業回数判断手段と、報知手段とが備えられており、作業情報受信手段が作業情報送信手段から送信された作業情報を受信することができる。そして、作業情報記憶手段は作業情報受信手段が受信した作業情報を記憶することができる。したがって、管理装置において、監視制御装置で作製された作業情報に基づいて作業回数を計測して報知することができる。
【００２１】
また、請求項３に係る発明の遊技場管理システムでは、請求項１又は２に記載の発明の効果に加えて、人物特定情報記憶手段は、認証識別情報と、個人を特定するための情報である人物情報と関連付けて記憶し、人物特定手段は、人物特定情報記憶手段に記憶されている認証識別情報及び人物情報に基づいて、認証識別情報入力手段により認証識別情報を入力した人物を特定することができ、報知手段は、人物特定手段により特定された人物情報も報知することができる。したがって、報知手段では所定回数以上作業を行った人物を特定して報知することができる。
【００２２】
また、請求項４に係る発明の遊技場管理システムでは、請求項１乃至３のいずれかに記載の発明の効果に加えて、管理装置は、第１管理装置と総合管理装置とで構成されており、尚、総合管理装置は複数の第１管理装置を接続し、第１管理装置は遊技場内に設置されており、複数の監視制御装置を接続しているので、例えば、遊技場内の遊技機設置島に備えられている島管理端末のような装置を第１管理装置として機能させ、遊技店の事務室等に設置されている所謂ホールコンピュータを総合管理装置として機能させて、報知手段は総合管理装置に備えられているので、総合管理装置で一括して遊技場内の管理を行うことができる。
【００２３】
また、請求項５に係る発明の遊技場管理システムでは、請求項１乃至４のいずれかに記載の効果に加えて、遊技場係員が所有する認証部材に搭載されているＩＣタグである認証タグの識別情報を認証識別情報とし、認証タグ読出手段は認証識別情報入力手段として、認証タグから識別情報を読み出すことができる。したがって、係員に認証タグを備えた認証部材を所有させて、作業を行う前にその認証部材の認証タグの識別情報を監視制御装置の認証タグ読み出し手段に読み出させることにより、監視制御装置を認証状態とすることができる。
【００２４】
また、請求項６に係る発明の遊技場管理システムでは、請求項１乃至５のいずれかに記載の発明の発明の効果に加えて、作業回数計数手段は、作業が行われた場所、作業の内容、及び、作業を行った人物のうちの少なくとも１つごとに作業回数を計数することができる。したがって、作業が行われた場所、作業の内容、人物ごとに作業回数を知ることができる。
【００２５】
また、請求項７に係る発明の遊技場管理システムでは、請求項１乃至６のいずれかに記載の発明の効果に加えて、作業回数判断手段における判断基準となる作業回数は、作業が行われた場所、作業の内容、又は、作業を行った人物により異ならせることができるので、例えば、通常頻繁に作業が行われるような場所については、判断基準回数を多めに設定したり、通常では作業が行われないような場所については判断基準回数を少なめに設定したりすることができる。また、過去に不正を行ったことがあるような注意人物や新人には判断基準回数を他の人物よりも少なめに設定したり、通常頻繁に作業を行う係員には判断基準回数を他の人物よりも多めに設定したりすることができる。また、監視タグが取り替えるような重要な作業については判断基準回数を少なめに設定したりすることができる。
【００２６】
また、請求項８に係る発明の遊技場管理システムでは、請求項１乃至７のいずれかに記載の発明の効果に加えて、報知手段による報知は作業回数が所定回数以上となった際、又は、予め定められた時刻に行われる。よって、作業回数が所定回数以上となった際に報知する場合にはリアルタイムで作業状況を知ることができ、また、予め定められた時刻（例えば、営業開始前や営業終了後といった業務の区切りになる時刻、毎時０分など１時間ごとや２時間ごとなど）に報知することができるので、定期的に状態を知ることができる。
【００２７】
また、請求項９に係る発明の管理装置では、作業情報記憶手段は、監視制御装置から送信された、遊技機に対して行われた作業に関する情報である作業情報を記憶し、作業回数計数手段は、作業情報記憶手段に記憶されている作業情報について、所定の作業が行われた回数を計数し、作業回数判断手段は、作業回数計数手段により計数された作業回数が所定回数以上となったか否かを判断し、報知手段は、作業回数判断手段により作業回数が所定回数以上となったと判断された場合に報知を行うことができる。したがって、遊技機の操作を許可されている人物により遊技機の操作が行われた場合には、その作業回数を計数することができるので、頻繁に作業を行った人物を知ることができる。よって、不正を行っている可能性のある係員を割り出す支援をすることができる。
【００２８】
また、請求項１０に係る発明の管理装置は、請求項９に記載の発明の効果に加えて、第１管理装置と総合管理装置とで構成され、総合管理装置は複数の第１管理装置を接続し、第１管理装置は、遊技場内に設置されたて複数の監視制御装置を接続し、報知手段は総合管理装置に備えられているので、例えば、遊技場内の遊技機設置島に備えられている島管理端末のような装置を第１管理装置として機能させ、遊技店の事務室等に設置されている所謂ホールコンピュータを総合管理装置として機能させて、報知手段は総合管理装置に備えられているので、総合管理装置で一括して遊技場内の管理を行うことができる。
【００２９】
また、請求項１１に係る発明の管理装置では、請求項９又は１０に記載の発明の効果に加えて、作業回数計数手段は、作業が行われた場所、作業の内容、及び、作業を行った人物のうちの少なくとも１つごとに作業回数を計数することができる。したがって、作業が行われた場所、作業の内容、人物ごとに作業回数を知ることができる。
【００３０】
また、請求項１２に係る発明の管理装置では、請求項９乃至１１のいずれかに記載の発明の効果に加えて、作業回数判断手段における判断基準となる作業回数は、作業が行われた場所、作業の内容、又は、作業を行った人物により異なるので、例えば、通常頻繁に作業が行われるような場所については、判断基準回数を多めに設定したり、通常では作業が行われないような場所については判断基準回数を少なめに設定したりすることができる。また、過去に不正を行ったことがあるような注意人物や新人には判断基準回数を他の人物よりも少なめに設定したり、通常頻繁に作業を行う係員には判断基準回数を他の人物よりも多めに設定したりすることができる。また、監視タグが取り替えるような重要な作業については判断基準回数を少なめに設定したりすることができる。
【００３１】
また、請求項１３に係る発明の管理装置では、請求項９乃至１２のいずれかに記載の発明の効果に加えて、報知手段による報知は、作業回数が所定回数以上となった際、又は、予め定められた時刻に行われるので、作業回数が所定回数以上となった際に報知する場合にはリアルタイムで作業状況を知ることができ、また、予め定められた時刻（例えば、営業開始前や営業終了後といった業務の区切りになる時刻、毎時０分など１時間ごとや２時間ごとなど）に報知することができるので、定期的に状態を知ることができる。
【発明を実施するための最良の形態】
【００３２】
以下、本発明の一実施の形態について図面を参照して以下の順で説明する。
１．システム構成の概要説明
２．パチンコ機及びＲ／Ｗユニットの説明
３．ホールコンピュータの説明
４．Ｒ／Ｗユニット３０の動作の説明
５．ホールコンピュータの処理についての説明
６．実施の形態と請求項との対比
７．変形例の説明
【００３３】
１．システム構成の概要説明
図１は、本実施の形態の遊技場管理システムの構成図である。「遊技機」であるパチンコ機１にはパチンコ機１の部材の監視を行うリーダライタユニット（以下、Ｒ／Ｗユニットと称する）３０が付属している（「監視制御装置」及び「第１管理装置」に該当する）。そして、遊技機設置島２００には、複数のパチンコ機１が背中合わせに２列に並べて設置されており、その遊技機設置島２００の各々に島管理端末１００が設置されている。さらに、パチンコ機１に付属のＲ／Ｗユニット３０が店内ネットワーク１５０を介して島管理端末１００に接続する構成となっている。また、島管理端末１００は遊技場全体を管理するホールコンピュータ３００（「総合管理装置」に該当する）に接続している。
【００３４】
尚、パチンコ機１には、監視を行う場所に「ＩＣタグ」である監視タグ８６が備えられ、正常に設置されている場合に監視タグ８６と通信可能な位置に監視アンテナ６８が備えられている。本実施の形態では、機枠や基板ボックス等合計３箇所に備えられているが、具体的な設置場所については図２および図３を参照して後述する。そして、Ｒ／Ｗユニット３０による監視の結果、異常が発生したり、異常が回復したりした場合には、その情報が「監視情報」としてＲ／Ｗユニット３０のＲＡＭ３４（図４参照）に記録され、島管理端末１００において異常の発生が報知される。
【００３５】
また、Ｒ／Ｗユニット３０は認証アンテナ６９を備えたカード読み取り器９０（図４参照）を接続しており、遊技場の係員が所有する認証カード９６に組み込まれている認証タグ９９と通信する。そして、Ｒ／Ｗユニット３０では認証カード９６を認識すると、係員作業中と判断して、Ｒ／Ｗユニット３０を「認証状態」とする。そして、「認証状態」中に監視タグ８６に異常が発生したり、異常が回復したりした場合には、係員により作業が行われていると判断されて、「監視情報」でなく「作業情報」が記憶される。また、認証カード９６によりＲ／Ｗユニット３０が「認証状態」とされた履歴は「認証情報」としてＲ／Ｗユニット３０のＲＡＭ３４に記録される。尚、カード読み取り器９０は、パチンコ機１の上部、パチンコ機１とパチンコ機１との間に設置されているカードサンド（図示外）の上部等パチンコ機１の近隣に設置されている。
【００３６】
これらの監視情報や作業情報や認証情報は島管理端末１００に送信されて、さらにホールコンピュータ３００へ送信される。島管理端末１００では、監視情報を受信した際に、異常の発生や回復の報知が行われる。また、ホールコンピュータ３００では店内ネットワーク１５０に接続している全てのパチンコ機１の監視情報や作業情報や認証情報を収集し、蓄積することができるように構成されている。尚、作業情報は、Ｒ／Ｗユニット３０において作業の開始又は終了の都度、島管理端末１００へ送信され、監視情報はＲ／Ｗユニット３０において異常又は異常の回復を検知した都度、島管理端末１００へ送信され、認証情報は「認証状態」の開始又は終了の都度、島管理端末１００へ送信される。
【００３７】
２．パチンコ機及びＲ／Ｗユニットの説明
次に、図２乃至図７を参照してパチンコ機１の構造、パチンコ機１に備えられたＲ／Ｗユニット３０について説明する。図２はパチンコ機１の前面枠１１１及び本体枠１１０を開いた状態をパチンコ機１の前面から見た斜視図である。図３はパチンコ機１の背面図である。図４はパチンコ機１及びパチンコ機１に付属したＲ／Ｗユニット３０の電気的構成を示すブロック図であり、図５はＲ／Ｗユニット３０のＲＡＭ３４の記憶エリアを示す模式図である。図６は作業情報記憶エリア３４２の構成を示す模式図であり、図７は認証設定情報記憶エリア３４５の構成を示す模式図である。
【００３８】
図２に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられていおり、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００３９】
次に、図３を参照して、パチンコ機１の背面の構造について説明する。図３に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤の裏面を保護し、各種配線を覆うセンターカバー８０が配置され、そのセンターカバー８０の外側には、Ｒ／Ｗユニット３０が設置されている。尚、Ｒ／Ｗユニット３０の電源は、電源基板４２からではなく遊技機設置島２００の電源装置（図示外）から供給されている。
【００４０】
次に、図４を参照してパチンコ機１及びＲ／Ｗユニット３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とが接続している。また、ＣＰＵ５１は、Ｉ／Ｏインタフェイス５４に接続しており、Ｉ／Ｏインタフェイス５４には、サブ統合基板５８、払出制御基板４５、中継基板４７、出力ポート５５が接続している。さらに、サブ統合基板５８には図柄表示基板４４、電飾基板４６、音基板４３が接続され、払出制御基板４５には発射基板６６が接続されている。電源基板４２は遊技機設置島に備えられた電源から電源供給を受けており、主基板４１、サブ統合基板５８、払出制御基板４５、発射基板６６に電源供給を行っている。
【００４１】
また、Ｒ／Ｗユニット３０では、Ｒ／Ｗユニット３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６ａ，監視タグ８６ｂ，監視タグ８６ｃへ呼出波を送信し、反射波を受信するためのＲａｄｉｏ  Ｆｒｅｑｕｅｎｃｙ回路（以下、ＲＦ回路と称する）３８、パチンコ機１の主基板４１の出力ポート５５と接続する入力ポート３９、時間管理を行うＲＴＣ７１、Ｉ／Ｏインタフェイス３７が接続している。Ｉ／Ｏインタフェイス３７には、島管理端末１００に接続するための店内ネットワーク１５０に接続する通信回路３６が接続されている。さらに、ＲＦ回路３８に監視タグ８６ａ，監視タグ８６ｂ，監視タグ８６ｃと通信するための監視アンテナ６８ａ，監視アンテナ６８ｂ，監視アンテナ６８ｃ、及び、認証カード９６の認証タグ９９と通信するための認証アンテナ６９が接続されている。尚、認証アンテナ６９は、パチンコ機１の近隣に設置されたカード読み取り器９０に取り付けられている。
【００４２】
尚、監視タグ８６ａ，監視タグ８６ｂ，監視タグ８６ｃは、パチンコ機１の各監視場所に貼り付けられており、各監視場所が閉じられている状態で各監視タグ８６ａ，監視タグ８６ｂ，監視タグ８６ｃと通信可能な位置に監視アンテナ６８ａ，監視アンテナ６８ｂ，監視アンテナ６８ｃが設置されている。そして、監視アンテナ６８ａは監視タグ８６ａと通信をし、監視アンテナ６８ｂは監視タグ８６ｂと通信をし、監視アンテナ６８ｃは監視タグ８６ｃと通信をする。
【００４３】
ここで、図２、図３を参照して、監視タグ８６ａ〜８６ｃが備えられている監視場所について説明する。監視場所は、主基板４１が収容されている主基板ボックス８１（第１監視場所）、本体枠１１０と機枠１１２（第２監視場所）、前面枠１１１と本体枠１１０（第３監視場所）の３箇所であり、その開閉が監視されている。尚、第１監視場所である主基板ボックス８１を監視するために、監視タグ８６ａ及び監視アンテナ６８ａ（図３では図示外、図４参照）が使用され、第２監視場所である本体枠１１０と機枠１１２を監視するために、監視タグ８６ｂ及び監視アンテナ６８ｂが使用され、第３監視場所である前面枠１１１と本体枠１１０を監視するために、監視タグ８６ｃ及び監視アンテナ６８ｃが使用される。
【００４４】
図３に示すように、主基板ボックス８１の図３における正面視右下の内面には監視タグ８６ａが貼り付けられている。尚、主基板ボックス８１は、透明な樹脂製の平面視略長方形の上蓋部と、同じく透明な樹脂製の平面視略長方形の下蓋部とから構成されおり、上蓋部に対向する下蓋部上にパチンコ機１の主制御を司る主基板４１が配置されている。そして、上蓋部の裏面側には、小型で長方形の監視タグ８６ａが接着剤等で接着されている。さらに、主基板４１の右下端部には切り欠きが設けられ、下蓋部の切り欠きに対向する位置にコイル状の監視アンテナ６８ａ（図３においては図示外、図４参照）が設けられ、監視アンテナ６８ａは同軸ケーブルによりＲ／Ｗユニット３０のＲＦ回路３８に接続されている。よって、主基板ボックス８１が開けられた場合には、監視タグ８６ａは監視アンテナ６８ａと通信不能となる。
【００４５】
また、図２に示すように、機枠１１２の図２における右枠の内面には監視タグ８６ｂが貼り付けられており、本体１１３の右側面には監視アンテナ６８ｂが備えられている。尚、監視タグ８６ｂと監視アンテナ６８ｂとは本体枠１１０と機枠１１２とが閉じられた場合に、向き合う位置に配置されている。そして、本体枠１１０と機枠１１２とが閉じられている状態（正常な状態）では、監視タグ８６ｂと監視アンテナ６８ｂとが通信可能となり、本体枠１１０と機枠１１２とが開けられた状態（異常な状態）では、監視タグ８６ｂと監視アンテナ６８ｂとが通信不能となる。また、前面枠１１１と本体枠１１０とが閉じられた状態での、前面枠１１１の正面視右上の裏面（本体枠１１０と向き合う面）には、監視タグ８６ｃが貼り付けられている。そして、本体枠１１０の上枠の表面（前面枠１１１と向き合う面）には、監視アンテナ６８ｃが備えられている。尚、監視タグ８６ｃと監視アンテナ６８ｃとは前面枠１１１と本体枠１１０とが閉じられた場合に、向き合う位置に配置されている。そして、前面枠１１１と本体枠１１０とが閉じられている状態（正常な状態）では、監視タグ８６ｃと監視アンテナ６８ｃとが通信可能となり、前面枠１１１と本体枠１１０とが開けられた状態（異常な状態）では、監視タグ８６ｃと監視アンテナ６８ｃとが通信不能となる。
【００４６】
尚、監視タグ８６ａ〜８６ｃは、それぞれ同様の構造をしており、薄いフレキシブルプリント基板上にアンテナ及びＩＣチップが設けられている。ＩＣチップにはＲ／Ｗユニット３０からの呼出波に応答して反射波を放出するＲＦ回路とＥＥＰＲＯＭが一体となって構成されており、ＲＦ回路はアンテナを接続している。そして、ＥＥＰＲＯＭには、監視タグ８６を他のＩＣタグから識別するための識別情報であるＩＤコードが上書消去禁止区域に記憶されている。この監視タグ８６は、Ｒ／Ｗユニット３０から監視アンテナ６８を介して呼出波が送られてくると、アンテナがこれを受信する。この呼出波には搬送波成分が含まれており、これを受信してＲＦ回路で整流して直流電圧を得る。したがって、監視タグ８６は、電池や外部電源を使用せずに必要な時にいつでもデータを発信することができる。データの発信は、ＥＥＰＲＯＭからＩＤコードを読み出して反射波に乗せ、ＲＦ回路がアンテナから送信する。また、認証タグ９９は、認証カード９６内に埋め込まれているが、監視タグ８６と同様にアンテナ及びＩＣチップが設けられ、ＩＣチップにはＲ／Ｗユニット３０からの呼出波に応答して反射波を放出するＲＦ回路とＥＥＰＲＯＭが一体となって構成されており、ＲＦ回路はアンテナを接続している。そして、ＥＥＰＲＯＭには、認証タグ９９を他のＩＣタグから識別するための識別情報であるＩＤコードが上書消去禁止区域に記憶されている。尚、このＩＤコードが「認証識別情報」に該当する。
【００４７】
また、本実施形態で使用する監視タグ８６と監視アンテナ６８は、１３．５６ＭＨｚの短波帯で通信を行っている。この周波数での通信はノイズによる影響を比較的受けにくいため、パチンコ機１の設置環境に適している。監視アンテナ６８ａと監視タグ８６ａとの距離は、上蓋部と下蓋部を組み付けた状態で約３ｍｍになるように配置されている。この距離間ではＲＦ送受信が可能であり監視アンテナ６８ａを介したＲ／Ｗユニット３０からの呼び出しに監視タグ８６ａが応答することができ、監視アンテナ６８ａと監視タグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視タグ８６や監視アンテナ６８は、ソレノイドを使用している払出装置や発射基板６６の発射モータから離した位置である主基板４１の右下端部に配置している。
【００４８】
次に、図５を参照して、Ｒ／Ｗユニット３０のＲＡＭ３４の記憶エリアについて説明する。図５に示すように、ＲＡＭ３４には監視情報記憶エリア３４１、作業情報記憶エリア３４２、認証情報記憶エリア３４３、監視設定情報記憶エリア３４４、認証設定情報記憶エリア３４５、フラグ情報記憶エリア３４６等が設けられている。監視情報記憶エリア３４１には、監視場所の異常の発生や回復についての監視データが記憶されている。作業情報記憶エリア３４２には、「認証状態」中に行われた作業についての作業情報が記憶されている（図６参照）。認証情報記憶エリア３４３には、「認証状態」の開始日時、終了時刻や「認証状態」とした認証カード９６の認証ＩＤ等が記憶されている。また、監視設定情報記憶エリア３４４には、各監視場所ごとにそこに設置されている監視タグ８６のＩＤコードが記憶されている。例えば、第１監視場所の監視を行う際には、監視アンテナ６８ａから呼出波を送信し、受信した反射波に含まれる識別情報と、監視場所情報記憶エリアに第１監視場所に対応して記憶されている識別情報とが比較される。認証設定情報記憶エリア３４５には、使用可能な認証カード９６の認証ＩＤが記憶されている（図７参照）。フラグ情報記憶エリア３４６には、後述するメイン処理（図１２参照）で使用されるフラグの記憶エリアが設けられている。
【００４９】
ここで、図６を参照して、作業情報記憶エリア３４２について説明する。ここには、日時欄、場所番号欄、内容欄、状態欄、認証ＩＤ欄が設けられている。そして、日時欄には、作業が開始又は終了した日時が記憶され、場所番号欄には、監視場所を示すコードが記憶される。第２監視場所であれば「２」、第３監視場所であれば「３」がセットされる。また、内容欄には作業の内容を示すコードがセットされる。監視場所が開閉された際には「１」、監視タグ８６が貼られている部材の交換が行われた際には「２」がセットされる。状態欄には作業の開始か終了かを示すコードがセットされる。開始であれば「１」、終了であれば「２」がセットされる。そして、認証ＩＤ欄には「認証状態」としている認証ＩＤがセットされる。
【００５０】
図６に示す例では、２００４年９月１日の１０：１１に認証ＩＤ「Ａ９４３ＪＥ４Ｂ」の認証カード９６を所有した係員が場所番号「３」を開け、１０：１３に閉じている。そして、１１：２６に認証ＩＤ「Ａ９４３ＪＥ４Ｂ」の認証カード９６を所有した係員が場所番号「３」を開け、１１：２７に閉じている。そして、１２：３２に認証ＩＤ「９Ａ４Ｊ９ＡＴ４」の認証カード９６を所有した係員が場所番号「３」を開け、１２：３５に場所番号「２」を開け、１２：４１に場所番号「２」を閉じ、１２：４１に場所番号「３」を閉じている。そして、１４：２２に認証ＩＤ「９Ａ４Ｊ９ＡＴ４」の認証カード９６を所有した係員が場所番号「３」を開け、１４：２３に閉じている。また、１７：３２に認証ＩＤ「ＧＡ０９ＮＧ９３」の認証カード９６を所有した係員が場所番号「３」を開け、１７：３５に閉じている。さらに、１７：４１に認証ＩＤ「ＧＡ０９ＮＧ９３」の認証カード９６を所有した係員が場所番号「３」を開け、１７：４２に閉じている。さらに、１８：１２に認証ＩＤ「ＧＡ０９ＮＧ９３」の認証カード９６を所有した係員が場所番号「３」を開け、１８：１５に閉じている。さらに、１８：２０に認証ＩＤ「ＧＡ０９ＮＧ９３」の認証カード９６を所有した係員が場所番号「３」を開け、１８：２１に閉じている。さらに、１８：４５に認証ＩＤ「ＧＡ０９ＮＧ９３」の認証カード９６を所有した係員が場所番号「３」を開け、１８：４６に閉じている。
【００５１】
次に、図７を参照して、認証設定情報記憶エリア３４５について説明する。ここには、使用可能な認証カード９６の認証タグ９９のＩＤコードが登録されている。図７に示す例では、「３４ＪＧ９５ＫＪ」，「Ａ９４３ＪＥ４Ｂ」，「ＧＫ０９４５ＪＧ」，「ＧＡ０９ＮＧ９３」，「ＡＲＥＩＯＴＪＡ」，「Ａ４８９３ＩＯＢ」，「Ｂ０６４５ＹＭ５」，「９Ａ４Ｊ９ＡＴ４」，「Ｎ０９４５ＪＱＷ」，「ＫＨ０４９ＷＹＯ」の１０つのＩＤコードが登録されている。
【００５２】
３．ホールコンピュータの説明
次に、図８乃至図１１を参照して、ホールコンピュータ３００について説明する。図８は、ホールコンピュータ３００の電気的構成を示すブロック図である。そして、図９は人物情報記憶エリア３８２の構成を示す模式図であり、図１０は作業情報記憶エリア３８４の構成を示す模式図であり、図１１は計数情報記憶エリア３８６の構成を示す模式図である。
【００５３】
図８に示すように、ホールコンピュータ３００には、ホールコンピュータ３００の制御を司るＣＰＵ３０１が設けられ、ＣＰＵ３０１には、各種のデータを一時的に記憶するＲＡＭ３０２と、ＢＩＯＳ等を記憶したＲＯＭ３０３と、データの受け渡しの仲介を行うＩ／Ｏインタフェイス３０４とが接続されている。Ｉ／Ｏインタフェイス３０４には、ハードディスク装置３８０が接続され、当該ハードディスク装置３８０には、監視設定情報記憶エリア３８１と、人物情報記憶エリア３８２（図９参照）と、監視情報記憶エリア３８３と、作業情報記憶エリア３８４（図１０参照）と、認証情報記憶エリア３８５と、計数情報記憶エリア３８６（図１１参照）と、プログラム記憶エリア３８７と、その他の情報記憶エリア３８８とが設けられている。
【００５４】
尚、監視設定情報記憶エリア３８１には、Ｒ／Ｗユニット３０ごとに各監視場所に設置されている監視タグ８６のＩＤコードが記憶されており、人物情報記憶エリア３８２には、遊技場の係員名と、その係員が所有する認証カード９６の認証タグ９９に記憶されている認証ＩＤとが対応して記憶されており、監視情報記憶エリア３８３には、遊技場内の全てのパチンコ機１の監視情報が記憶されており、作業情報記憶エリア３８４には、遊技場内の全てのパチンコ機１の作業情報が記憶されており、認証情報記憶エリア３８５には、遊技場内の全てのパチンコ機１の認証情報が記憶されており、計数情報記憶エリア３８６には、各パチンコ機１で行われる作業の回数が記録されており、プログラム記憶エリア３８７にはＣＰＵ３０１で実行されるプログラムが記憶されている。
【００５５】
また、Ｉ／Ｏインタフェイス３０４には、ビデオコントローラ３０５と、キーコントローラ３０６と、ＣＤ−ＲＯＭドライブ３０７と、通信装置３０８とが接続され、ビデオコントローラ３０５にはディスプレイ３１１が接続され、キーコントローラ３０６にはキーボード３１２が接続され、通信装置３０８は店内ネットワーク１５０に接続可能となっている。尚、ＣＤ−ＲＯＭドライブ３０７に挿入されるＣＤ−ＲＯＭ３１３には、ホールコンピュータ３００の制御プログラムが記憶されており、導入時には、制御プログラムは、ＣＤ−ＲＯＭ３１３から、ハードディスク装置３８０にセットアップされてプログラム記憶エリア３８７に記憶されるようになっている。
【００５６】
ここで、図９を参照して、人物情報記憶エリア３８２について説明する。この人物情報記憶エリア３８２には、遊技場の係員名と、その係員が所有する認証カード９６の認証タグ９９に記憶されている認証ＩＤとが対応して記憶されており、それぞれに係員番号が割り当てられている。図９に示す例では、係員番号「１」の認証ＩＤは「３４ＪＧ９５ＫＪ」、係員名は田中であり、係員番号「２」の認証ＩＤは「Ａ９４３ＪＥ４Ｂ」、係員名は鈴木であり、係員番号「３」の認証ＩＤは「ＧＫ０９４５ＪＧ」、係員名は加藤であり、係員番号「４」の認証ＩＤは「ＧＡ０９ＮＧ９３」、係員名は佐藤であり、係員番号「５」の認証ＩＤは「ＡＲＥＩＯＴＪＡ」、係員名は山田であり、係員番号「６」の認証ＩＤは「Ａ４８９３ＩＯＢ」、係員名は森下であり、係員番号「７」の認証ＩＤは「Ｂ０６４５ＹＭ５」、係員名は伊藤であり、係員番号「８」の認証ＩＤは「９Ａ４Ｊ９ＡＴ４」、係員名は田村であり、係員番号「９」の認証ＩＤは「Ｎ０９４５ＪＱＷ」、係員名は近藤であり、係員番号「１０」の認証ＩＤは「ＫＨ０４９ＷＹＯ」、係り員名は山下であるであると登録されている。なお、この他に認証カード９６の有効期限や発効日、係員の身分（店長、店員、リーダー、アルバイトなど）などを記憶していてもよい。
【００５７】
次に、図１０を参照して、作業情報記憶エリア３８４について説明する。この作業情報記憶エリア３８４には、島管理端末１００を介してＲ／Ｗユニット３０から送信された作業情報が、パチンコ機１の台番号毎に記憶されている。図１０に示すように、台番号ごとに、図６に示したＲ／Ｗユニット３０の作業情報記憶エリア３４２と同様の内容（日時、場所番号、内容、状態、認証ＩＤ）が記憶されている。尚、台番号「１０１」以外については省略されている。
【００５８】
次に、図１１を参照して、計数情報記憶エリア３８６について説明する。この計数情報記憶エリア３８６は、ホールコンピュータ３００が作業情報を受信した際に、その作業情報の内容を集計するためのエリアである。図１１に示すように、係員番号「１」〜「１０」までの係員について、それぞれ台番号ごとに第２監視場所及び第３監視場所のカウンタエリアが設けられている。さらに、各係員番号の合計である係員合計欄、各パチンコ機１ごとの合計である台合計欄、遊技場内すべての合計作業回数がセットされるエリア（総合計欄）が設けられている。尚、作業回数をカウントする際には、作業情報の認証ＩＤに対応した係員番号、台番号、監視場所番号に該当するカウンタエリアに「１」が加算され、係員ごとの合計回数、監視場所ごとの合計回数、遊技場全体の合計回数の集計が行われる。尚、この計数情報記憶エリア３８６は、ホールコンピュータ３００の起動時に行われる初期処理においてクリアされる。すなわち、この計数情報記憶エリア３８６には１日の作業回数が計数されている。
【００５９】
図１１に示す例では、係員番号「１」の係員は、１０１番のパチンコ機１の第２監視場所でも第３監視場所でも作業を行っておらず、１０２番のパチンコ機１の第２監視場所でも第３監視場所でも作業を行っていない。そして、８２０番のパチンコ機１の第２監視場所では作業を行っておらず、第３監視場所で作業を２回行っている。そして、係員番号「１」の係員の合計作業回数は１２回である。また、係員番号「２」の係員は、１０１番のパチンコ機１の第２監視場所では作業を行っておらず、第３監視場所で作業を４回行っており、１０２番のパチンコ機１の第２監視場所では作業を行っておらず、第３監視場所で作業を２回行っている。そして、８２０番のパチンコ機１の第２監視場所では作業を行っておらず、第３監視場所で作業を４回行っている。そして、係員番号「２」の係員の合計作業回数は１８回である。
【００６０】
また、係員番号「３」の係員は、１０１番のパチンコ機１の第２監視場所でも第３監視場所でも、１０２番のパチンコ機１の第２監視場所でも第３監視場所でも、８２０番のパチンコ機１の第２監視場所でも、第３監視場所でも作業を行っていない。そして、係員番号「３」の係員の合計作業回数は０回である。係員番号「４」の係員は、１０１番のパチンコ機１の第２監視場所では作業を行っておらず、第３監視場所で作業を１０回行っており、１０２番のパチンコ機１の第２監視場所では作業を行っておらず、第３監視場所で作業を４回行っている。そして、８２０番のパチンコ機１の第２監視場所でも、第３監視場所でも作業を行っていない。そして、係員番号「４」の係員の合計作業回数は２６回である。
【００６１】
また、係員番号「５」の係員は、１０１番のパチンコ機１の第２監視場所でも第３監視場所でも作業を行っておらず、１０２番のパチンコ機１の第２監視場所でも第３監視場所でも作業を行っていない。そして、８２０番のパチンコ機１の第２監視場所で２回行っており、第３監視場所で作業を２回行っている。そして、係員番号「５」の係員の合計作業回数は８回である。係員番号「６」の係員は、１０１番のパチンコ機１の第２監視場所でも第３監視場所でも作業を行っておらず、１０２番のパチンコ機１の第２監視場所で作業を２回行っており、第３監視場所で作業を４回行っている。そして、８２０番のパチンコ機１の第２監視場所では作業を行っておらず、第３監視場所で作業を４回行っている。そして、係員番号「６」の係員の合計作業回数は１６回である。
【００６２】
また、係員番号「７」の係員は、１０１番のパチンコ機１の第２監視場所でも第３監視場所でも、１０２番のパチンコ機１の第２監視場所でも第３監視場所でも、８２０番のパチンコ機１の第２監視場所でも、第３監視場所でも作業を行っていない。そして、係員番号「７」の係員の合計作業回数は０回である。係員番号「８」の係員は、１０１番のパチンコ機１の第２監視場所で作業を２回行っており、第３監視場所で作業を４回行っており、１０２番のパチンコ機１の第２監視場所でも第３監視場所でも作業を行っていない。そして、８２０番のパチンコ機１の第２監視場所でも、第３監視場所でも作業を行っていない。そして、係員番号「８」の係員の合計作業回数は１８回である。
【００６３】
また、係員番号「９」の係員は、１０１番のパチンコ機１の第２監視場所でも第３監視場所でも、１０２番のパチンコ機１の第２監視場所でも第３監視場所でも、８２０番のパチンコ機１の第２監視場所でも、第３監視場所でも作業を行っていない。そして、係員番号「９」の係員の合計作業回数は０回である。係員番号「１０」の係員は、１０１番のパチンコ機１の第２監視場所でも第３監視場所でも、１０２番のパチンコ機１の第２監視場所でも第３監視場所でも、８２０番のパチンコ機１の第２監視場所でも、第３監視場所でも作業を行っていない。そして、係員番号「１０」の係員の合計作業回数は０回である。
【００６４】
また、１０１番のパチンコ機１の合計作業回数は２０回、１０２番のパチンコ機１の合計作業回数は１２回、８２０番のパチンコ機１の合計作業回数は１４回である。そして、遊技場全体の作業回数は９８回である。尚、その他のパチンコ機についての情報は省略されている。
【００６５】
４．Ｒ／Ｗユニット３０の動作の説明
次に、図１２乃至図１４のフローチャートを参照して、Ｒ／Ｗユニット３０の動作について説明する。図１２は、Ｒ／Ｗユニット３０で行われるメイン処理の本発明に関する主な処理を示すフローチャートであり、図１３は、メイン処理の中で実施される認証処理のフローチャートであり、図１４は、メイン処理の中で実施される監視処理のフローチャートである。
【００６６】
まず、図１２のフローチャートを参照して、メイン処理について説明する。このメイン処理は、Ｒ／Ｗユニット３０に電源が供給されると、ＣＰＵ３２において実行され、認証処理、監視処理が繰り返し実施される。まず、フラグ情報記憶エリア３４６の各フラグに初期値の「０」がセットされる等の初期処理が行われる（Ｓ１）。このフラグ情報記憶エリア３４６には、エラーフラグ及び認証フラグが設けられている。エラーフラグは、第１監視場所〜第３監視場所ごとに応答エラーフラグ及びＩＤエラーフラグが設けられており、「０」が記憶され「ＯＦＦ」とされている場合には監視タグ８６との通信が正常に行われており、「１」が記憶され「ＯＮ」とされている場合には監視タグ８６との通信が正常に行われていないこと、つまり異常が発生していることを示している。尚、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。また、認証フラグは、Ｒ／Ｗユニット３０が「認証状態」であるか否かを示すフラグであり、「認証状態」中には「１」が記憶されて「ＯＮ」となっており、「認証状態」中でなければ「０」が記憶されて「ＯＦＦ」となっている。
【００６７】
次いで、監視場所をカウントするための変数ｎに初期値の「０」がセットされ（Ｓ２）、変数ｎに「１」が加算される（Ｓ３）。変数ｎの値は「１」であり、監視場所数「３」より大きくないので（Ｓ４：ＮＯ）、認証処理が行われる（Ｓ５、図１３参照）。
【００６８】
この認証処理では、図１３に示すように、まず、カード読み取り器９０に設置されている認証アンテナ６９から呼出波が送信される（Ｓ１１）。そして、認証カード９６の認証タグ９９から反射波が返送されてくるか否かの判断が行われる（Ｓ１２）。そして、反射波を認証アンテナ６９が受信した場合には（Ｓ１２：ＹＥＳ）、予め認証設定情報記憶エリア３４５に登録されているＩＤコード（認証ＩＤ）を含む反射波であるか否かの判断が行われる（Ｓ１３）。そこで、予め認証設定情報記憶エリア３４５に登録されている認証ＩＤを受信していれば（Ｓ１３：ＹＥＳ）、カード読み取り器９０に正規の認証カード９６が挿入されているということになる。
【００６９】
そこで、認証フラグが「ＯＮ」であるか否かにより、すでに「認証状態」となっているか否かの判断が行われる（Ｓ１４）。認証フラグが「ＯＮ」であり「認証状態」であれば（Ｓ１４：ＹＥＳ）、そのまま「認証状態」が継続されるので、何もせずに認証処理は終了され、メイン処理へ戻る。認証フラグが「ＯＮ」でなければ（Ｓ１４：ＮＯ）、認証フラグに「１」が記憶され「ＯＮ」とされ（Ｓ１５）、「認証状態」の開始を示す認証情報が作成されて認証情報記憶エリア３４３に記憶されて（Ｓ１６）、さらに認証情報が島管理端末１００へ送信される（Ｓ１７）。そして、認証処理は終了され、メイン処理へ戻る。
【００７０】
また、認証アンテナ６９から呼出波を送信しても反射波が返送されてこなかった場合や（Ｓ１２：ＮＯ）、認証設定情報記憶エリア３４５に登録されていないＩＤコードの反射波が返送されてきた場合には（Ｓ１３：ＮＯ）、「認証状態」であってはならない。そこで、認証フラグが「ＯＮ」であり「認証状態」となっている場合には（Ｓ１８：ＹＥＳ）、認証フラグに「０」が記憶され「ＯＦＦ」とされる（Ｓ１９）。そして、「認証状態」の終了を示す認証情報が作成されて認証情報記憶エリア３４３に記憶されて（Ｓ２０）、さらに認証情報が島管理端末１００へ送信される（Ｓ２１）。そして、認証処理は終了され、メイン処理へ戻る。尚、認証フラグが「ＯＮ」でなく「認証状態」でない場合には（Ｓ１８：ＮＯ）、何もする必要がないので、認証処理は終了され、メイン処理へ戻る。
【００７１】
そして、メイン処理では、図１２に示すように、変数ｎが示す監視場所、すなわち、変数ｎの値が「１」の場合には第１監視場所（主基板ボックス８１）の監視処理が行われる（Ｓ６、図１４参照）。この監視処理の詳細については図１４を参照して、後に詳述する。
【００７２】
そして、Ｓ３へ戻り、変数ｎに「１」が加算される（Ｓ３）。この時変数ｎの値が「２」であり、監視場所数「３」より大きくないので（Ｓ４：ＮＯ）、認証処理が行われ（Ｓ５）、第２監視場所（本体枠１１０と機枠１１２）の監視処理が行われる（Ｓ６）。そして、Ｓ３へ戻り、変数ｎに「１」が加算されて、この時変数ｎの値が「３」であり、監視場所数「３」より大きくないので（Ｓ４：ＮＯ）、認証処理が行われ（Ｓ５）、第３監視場所（前面枠１１１と本体枠１１０）の監視処理が行われる（Ｓ６）。そして、Ｓ３へ戻り、変数ｎに「１」が加算されると（Ｓ３）、変数ｎの値が「４」となり、監視場所数「３」よりも大きく（Ｓ４：ＹＥＳ）、第１監視場所〜第３監視場所の監視が終了したので、Ｓ２へ戻り、変数ｎの値を初期値「０」とする。そして、Ｓ３〜Ｓ６の処理を繰り返すことにより、引き続き認証処理、第１監視場所〜第３監視場所の監視処理が行われる。
【００７３】
次に、図１４のフローチャートを参照して、監視処理について説明する。まず、メイン処理から指示されている変数ｎが示す監視場所の監視アンテナ６８から呼出波が送信される（Ｓ４１）。そして、監視タグ８６から反射波の返送があるか否かの判断が行われる（Ｓ４２）。反射波の返送がない場合には（Ｓ４２：ＮＯ）、その監視場所は開けられている。しかし、応答エラーフラグが「ＯＮ」となっている場合には、既に監視タグ８６からの応答がない状態（開けられた状態）を検知している。そこで、応答エラーフラグが「ＯＮ」となり「応答エラー」となっているか否かの判断が行われる（Ｓ４３）。
【００７４】
応答エラー中である場合（Ｓ４３：ＹＥＳ）、そのまま監視処理は終了されて、メイン処理へ戻る。応答エラー中でない場合（Ｓ４３：ＮＯ）には、当該監視場所の応答エラーフラグに「１」が記憶され「ＯＮ」とされる（Ｓ４４）。そして、「認証状態」であるか否かの判断が行われる（Ｓ４５）。認証フラグが「ＯＮ」であり「認証状態」であれば（Ｓ４５：ＹＥＳ）、監視タグ８６から応答がないのは「異常」ではなく、「作業」が行われていると判断されて、作業の開始を示す作業情報が作業情報記憶エリア３４２に記憶されて（Ｓ４８）、さらに島管理端末１００へ作業情報が送信される（Ｓ４９）。そして、監視処理は終了されて、メイン処理へ戻る。また、「認証状態」でない場合には（Ｓ４５：ＮＯ）、監視タグ８６から応答がないのは「異常」が発生しているということなので、応答エラーの発生を示す監視情報が監視情報記憶エリア３４１に記憶されて（Ｓ４６）、さらに島管理端末１００へ監視情報が送信される（Ｓ４７）。そして、監視処理は終了されて、メイン処理へ戻る。
【００７５】
また、監視タグ８６から反射波の返送がある場合には（Ｓ４２：ＹＥＳ）、監視タグ８６と無線通信が成立している。そこで、反射波に含まれているＩＤコードが予め登録されているものと一致しているか否かの判断が行われる（Ｓ５２）。尚、各監視場所に備えられている監視タグ８６のＩＤコードは監視場所を示すコードに対応して監視設定情報記憶エリア３４４に記憶されている。ＩＤコードが一致していない場合には（Ｓ５２：ＮＯ）、監視タグ８６の取り付けられた部材がすり替えられていたり、監視タグ８６がすり替えられていたりしている。しかし、ＩＤエラーフラグが「ＯＮ」となっている場合には、既に監視タグ８６が取り付けられている部材や監視タグ８６のすり替えは検知されている。そこで、ＩＤエラーフラグが「ＯＮ」となり「ＩＤエラー」となっているか否かの判断が行われる（Ｓ５３）。
【００７６】
ＩＤエラー中である場合（Ｓ５３：ＹＥＳ）、そのまま処理は終了されて、メイン処理へ戻る。ＩＤエラー中でない場合には（Ｓ５３：ＮＯ）、当該監視場所のＩＤエラーフラグに「１」が記憶され「ＯＮ」とされる（Ｓ５４）。そして、「認証状態」であるか否かの判断が行われる（Ｓ５５）。認証フラグが「ＯＮ」であり「認証状態」であれば（Ｓ５５：ＹＥＳ）、未登録のＩＤコードの反射波が送信されてくるのは「異常」ではなく、「作業」が行われていると判断されて、作業の開始を示す作業情報が作業情報記憶エリア３４２に記憶されて（Ｓ５８）、さらに島管理端末１００へ作業情報が送信される（Ｓ５９）。そして、監視処理は終了されて、メイン処理へ戻る。また、「認証状態」でない場合には（Ｓ５５：ＮＯ）、未登録のＩＤコードの反射波が送信されてくるのは「異常」が発生しているということなので、ＩＤエラーの発生を示す監視情報が監視情報記憶エリア３４１に記憶されて（Ｓ５６）、さらに島管理端末１００へ監視情報が送信される（Ｓ５７）。そして、監視処理は終了されて、メイン処理へ戻る。
【００７７】
また、反射波に含まれているＩＤコードと予め登録されているＩＤコードとが一致している場合には（Ｓ５２：ＹＥＳ）、監視タグ８６と正常に通信が行われており、監視タグ８６も不正なものではないということ、すなわち、当該監視場所は正常であるということになる。そこで、応答エラー中又はＩＤエラー中であるかの確認が行われる。応答エラーフラグ又はＩＤエラーフラグが「ＯＮ」となっている場合には、異常発生中又は作業中という状態になっているので、異常の回復又は作業の終了についての処理を行う必要がある。
【００７８】
そこで、まず、応答エラーフラグが「ＯＮ」であるか否かにより、応答エラー中か否かの判断が行われる（Ｓ６２）。応答エラー中である場合には（Ｓ６２：ＹＥＳ）、当該監視場所の応答エラーフラグに「０」が記憶されて「ＯＦＦ」とされる（Ｓ６４）。そして、「認証状態」であるか否かの判断が行われる（Ｓ６５）。認証フラグが「ＯＮ」であり「認証状態」であれば（Ｓ６５：ＹＥＳ）、監視場所が正常な状態であるのは「異常」の回復ではなく、「作業」の終了であると判断されて、作業の終了を示す作業情報が作業情報記憶エリア３４２に記憶されて（Ｓ６８）、さらに島管理端末１００へ作業情報が送信される（Ｓ６９）。そして、監視処理は終了されて、メイン処理へ戻る。また、「認証状態」でない場合には（Ｓ６５：ＮＯ）、監視場所が正常な状態であるのは「異常」の回復なので、応答エラーの回復を示す監視情報が監視情報記憶エリア３４１に記憶されて（Ｓ６６）、さらに島管理端末１００へ監視情報が送信される（Ｓ６７）。そして、監視処理は終了されて、メイン処理へ戻る。
【００７９】
また、応答エラー中でない場合には（Ｓ６２：ＮＯ）、ＩＤエラーフラグが「ＯＮ」であるか否かにより、ＩＤエラー中であるか否かの判断が行われる（Ｓ７２）。ＩＤエラー中である場合には（Ｓ７２：ＹＥＳ）、当該監視場所のＩＤエラーフラグに「０」が記憶されて「ＯＦＦ」とされる（Ｓ７４）。そして、「認証状態」であるか否かの判断が行われる（Ｓ７５）。認証フラグが「ＯＮ」であり「認証状態」であれば（Ｓ７５：ＹＥＳ）、監視場所が正常な状態であるのは「異常」の回復ではなく、「作業」の終了であると判断されて、作業の終了を示す作業情報が作業情報記憶エリア３４２に記憶されて（Ｓ７８）、さらに島管理端末１００へ作業情報が送信される（Ｓ７９）。そして、監視処理は終了されて、メイン処理へ戻る。また、「認証状態」でない場合には（Ｓ７５：ＮＯ）、監視場所が正常な状態であるのは「異常」の回復なので、監視情報が監視情報記憶エリア３４１に記憶されて（Ｓ７６）、さらに島管理端末１００へ監視情報が送信される（Ｓ７７）。そして、監視処理は終了されて、メイン処理へ戻る。
【００８０】
以上のようにして、各監視場所の監視が行われ、監視場所の状態が変化した際に「認証状態」であれば、作業が行われたとして作業情報がＲ／Ｗユニット３０に記録され、さらに島管理端末１００を経由してホールコンピュータ３００へ送信される。
【００８１】
５．ホールコンピュータの処理についての説明
次に、図１５乃至図１７を参照して、ホールコンピュータ３００の処理について説明する。ホールコンピュータ３００では、作業情報を島管理端末１００を経由してＲ／Ｗユニット３０から受信した際に作業回数を計数し、所定回数以上の作業が行われた場合にはそれを報知している。本実施の形態では、第２監視場所（本体枠１１０と機枠１１２）及び第３監視場（前面枠１１１と本体枠１１０）の作業回数を計数している。そして、ある係員の作業回数が６０回以上である場合、あるパチンコ機１の作業回数が２０回以上である場合、ある係員のあるパチンコ機１のある監視場所の作業回数が１０回以上である場合に報知が行われる。尚、作業回数は、ホールコンピュータ３００が作業情報を１つ受信する度に「１」加算される。つまり、ある係員が前面枠１１１を開けて、閉めた場合には、開けた時点での作業情報（作業の開始）で「１」加算され、閉めた時点での作業情報（作業の終了）で「１」加算されることになる。
【００８２】
尚、図１５は、ある係員のあるパチンコ機１のある監視場所の作業回数が１０回以上となった場合の報知画面４０１のイメージ図であり、図１６は、あるパチンコ機１の作業回数が２０回以上でとなった場合の報知画面４０２のイメージ図であり、図１７は、ホールコンピュータ３００が作業情報を受信した際に行われるホールコンピュータ処理のフローチャートである。
【００８３】
まず、図１５を参照して、ある係員のあるパチンコ機１のある監視場所の作業回数が１０回以上となった場合の報知画面４０１について説明する。図１５に示すように、「１０１番台の前面枠で、係員：鈴木により本日１０回以上の作業が行われています。確認して下さい。」とのメッセージが表示されており、係員名「鈴木」が１０１番台のパチンコ機１の前面枠１１１（第３監視場所）の作業回数が１０回以上となったことを報知している。そして、さらにその下には作業履歴として、その１０回の作業内容が表示されている。作業履歴は、１７：３２の前面枠開放、１７：３５の前面枠閉鎖、１７：４１の前面枠開放、１７：４２の前面枠閉鎖、１８：１２の前面枠開放、１８：１５の前面枠閉鎖、１８：２０の前面枠開放、１８：２１の前面枠閉鎖、１８：４５の前面枠開放、１８：４６の前面枠閉鎖である。また、作業履歴の下には「確認」ボタンが設けられており、この「確認」ボタンが選択されると、報知画面４０１は消去される。
【００８４】
次に、図１６を参照して、あるパチンコ機１の作業回数が２０回以上となった場合の報知画面４０２について説明する。図１６に示すように、「１０１番台で、本日２０回以上の作業が行われています。確認して下さい。」とのメッセージが表示されており、１０１番台のパチンコ機１での作業回数が２０回以上となったことを報知している。そして、さらにその下には作業履歴として、その２０回の作業内容が表示されている。作業履歴は、係員田中による１０：１１の前面枠開放、係員田中による１０：１３の前面枠閉鎖、係員加藤による１１：２６の前面枠開放、係員加藤による１１：２７の前面枠閉鎖、係員田中による１２：３２の前面枠開放、係員田中による１２：３５の本体枠開放、係員加藤による１２：４１の本体枠閉鎖、係員加藤による１２：４１の前面枠閉鎖、係員加藤による１４：２２の前面枠閉鎖、係員加藤による１４：２３の前面枠閉鎖、係員鈴木による１７：３２の前面枠開放、係員鈴木による１７：３５の前面枠閉鎖、係員鈴木による１７：４１の前面枠開放、係員鈴木による１７：４２の前面枠閉鎖、係員鈴木による１８：１２の前面枠開放、係員鈴木による１８：１５の前面枠閉鎖、係員鈴木による１８：２０の前面枠開放、係員鈴木による１８：２１の前面枠閉鎖、係員鈴木による１８：４５の前面枠開放、係員鈴木による１８：４６の前面枠閉鎖である。また、作業履歴の下には「確認」ボタンが設けられており、この「確認」ボタンが選択されると、報知画面４０２は消去される。
【００８５】
次に、図１７を参照して、ホールコンピュータ処理について説明する。このフローチャートは、ホールコンピュータ３００が島管理端末１００から作業情報を受信した際に行われるホールコンピュータ処理の主な内容を示したものである。まず、作業情報の受信に伴う処理が行われ（Ｓ１００）、作業情報記憶エリア３８４へ受信した作業情報が記憶される（Ｓ１０１）。この作業情報には、Ｒ／Ｗユニット３０の作業情報記憶エリア３４２の１レコードと同じ内容に台番号を追加した内容がセットされており、その作業情報の発生した日時、監視場所を示す場所番号、作業の内容を示す内容コード、作業の状態（開始・終了）を示す状態コード、その作業を行った係員を示す認証ＩＤ、台番号がセットされている。ここで、本実施の形態では第２監視場所及び第３監視場所の作業回数のみを計測するので、第１監視場所での作業に関する作業情報であれば（Ｓ１０２：ＹＥＳ）、何もせずに処理を終了する。第１監視場所での作業でなければ（Ｓ１０２：ＮＯ）、作業情報にセットされている認証ＩＤに対応した係員番号及び係員名が人物情報記憶エリア３８２から読み出される（Ｓ１０３）。次いで、計数情報記憶エリア３８６へ加算される（Ｓ１０４）。具体的には、作業情報にセットされている認証ＩＤに対応した係員番号、台番号、場所番号に対応する欄に「１」が加算され、さらにその欄の合計欄（台合計、係員合計、総合計）が再計算される。
【００８６】
そして、Ｓ１０４で加算された欄の回数が１０回以上となったか否かの判断（Ｓ１０５）、台合計が２０回以上となったか否かの判断（Ｓ１０６）、係員合計が６０回以上となったか否かの判断（Ｓ１０７）が行われる。何れにも該当しない場合には（Ｓ１０５：ＮＯ，Ｓ１０６：ＮＯ，Ｓ１０７：ＮＯ）、報知の必要はないので何もせずに本処理は終了する。
【００８７】
受信した作業情報の係員、台番号、場所番号の作業回数が１０回以上となった場合には（Ｓ１０５：ＹＥＳ）、まず、ＲＡＭ３０２内に設けられている、報知画面に表示する情報を一時的に記憶するための記憶エリア（図示外）に、受信した作業情報の台番号と場所番号がセットされる（Ｓ１１１）。次いで、作業情報記憶エリア３８４から、受信した作業情報の係員、台番号、場所番号に該当する作業情報が読み出されて、報知画面に表示するため記憶エリアにセットされる（Ｓ１１２）。そして、Ｓ１０３で読み出された係員名とＲＡＭ３０２の記憶エリアに記憶された情報とに基づいて報知画面が作成され（Ｓ１１３）、ディスプレイ３１１に表示され（Ｓ１１４）、処理は終了する。
【００８８】
また、受信した作業情報の台番号の合計が２０回以上となった場合には（Ｓ１０６：ＹＥＳ）、まず、ＲＡＭ３０２内に設けられている報知画面に表示する情報を一時的に記憶するための記憶エリア（図示外）に、受信した作業情報の台番号と場所番号がセットされる（Ｓ１２１）。そして、作業情報記憶エリア３８４から、受信した作業情報の台番号に該当する作業情報が読み出されて、報知画面に表示するため記憶エリアにセットされる（Ｓ１２２）。次いで、Ｓ１２２で読み出された作業情報について、認証ＩＤでなく係員名を表示するために、人物情報記憶エリア３８２から認証ＩＤに対応している係員名が読み出され、報知画面に表示するための記憶エリアにセットされる（Ｓ１２３）。そして、ＲＡＭ３０２の記憶エリアに記憶された情報に基づいて報知画面が作成され（Ｓ１２４）、ディスプレイ３１１に表示され（Ｓ１２５）、処理は終了する。
【００８９】
また、受信した作業情報の係員の合計が６０回以上となった場合には（Ｓ１０７：ＹＥＳ）、作業情報記憶エリア３８４から、受信した作業情報の係員に該当する作業情報が読み出されて、報知画面に表示するため記憶エリアにセットされる（Ｓ１３１）。そして、ＲＡＭ３０２の記憶エリアに記憶された情報に基づいて報知画面が作成され（Ｓ１３２）、ディスプレイ３１１に表示され（Ｓ１３３）、処理は終了する。
【００９０】
以上のようにして、ホールコンピュータ３００では、作業情報を受信する度に作業回数を計数し、所定回数以上となった場合に報知することができる。よって、特定の係員が頻繁に本体枠１１０と機枠１１２を開閉したり、前面枠１１１と本体枠１１０を開閉したりしているような場合には、不正を行っている可能性があるとして、その係員の挙動に注意をする等の対処を行うことができる。また、係員が不正を行っていないにもかかわらず、作業の多いパチンコ機１については、故障の可能性もあり点検をするなどの対応を取ることができる。
【００９１】
６．実施の形態と請求項との対比
上記実施の形態では、島管理端末１００及びホールコンピュータ３００が「管理装置」に該当し、Ｒ／Ｗユニット３０のＲＡＭ３４の認証設定情報記憶エリア３４５が「認証識別情報記憶手段」に該当し、ホールコンピュータ３００のＨＤＤ３８０の作業情報記憶エリア３８４が「作業情報記憶手段」に該当する。
【００９２】
また、図１４に示す監視処理のＳ４２，Ｓ５２の処理を行うＲ／Ｗユニット３０のＣＰＵ３２が「異常判断手段」に相当し、Ｓ４５，Ｓ５５，Ｓ６５，Ｓ７５の処理を行うＲ／Ｗユニット３０のＣＰＵ３２が「作業判断手段」に相当し、Ｓ４９，Ｓ５９，Ｓ６９，Ｓ７９の処理を行うＲ／Ｗユニット３０のＣＰＵ３２が「作業情報送信手段」に相当する。また、図１３に示す認証処理のＳ１１〜Ｓ１２の処理を行うＲ／Ｗユニット３０のＣＰＵ３２が「認証識別情報入力手段」に相当し、Ｓ１３の処理を行うＲ／Ｗユニット３０のＣＰＵ３２が「人物認証手段」に相当し、Ｓ１５の処理を行うＲ／Ｗユニット３０のＣＰＵ３２が「認証状態設定手段」に相当する。
【００９３】
また、図１７に示すホールコンピュータ処理のＳ１０４の処理を行うホールコンピュータ３００のＣＰＵ３０１が「作業回数計数手段」に相当し、Ｓ１０５，Ｓ１０６，Ｓ１０７の処理を行うホールコンピュータ３００のＣＰＵ３０１が「作業回数判断手段」に相当し、Ｓ１１４，Ｓ１２５，Ｓ１３３の処理を行うホールコンピュータ３００のＣＰＵ３０１が「報知手段」に相当し、Ｓ１００の処理を行うホールコンピュータ３００のＣＰＵ３０１が「作業情報受信手段」に相当する。
【００９４】
また、認証タグ９９のＩＤコードが「認証識別情報」に該当し、ホールコンピュータ３００のＨＤＤ３８０の人物情報記憶エリア３８２が「人物特定情報記憶手段」に該当し、係員名が「人物特定情報」に該当する。また、図１７に示すホールコンピュータ処理のＳ１０３の処理を行うホールコンピュータ３００のＣＰＵ３０１が「人物特定手段」に相当する。
【００９５】
７．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【００９６】
また、上記実施の形態では、被監視部材としてパチンコ機１の主基板ボックス８１、本体枠１１０と機枠１１２、前面枠１１１と本体枠１１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。また、監視タグを設置する場所は各部材に一箇所である必要はなく、複数の位置に設置してもよい。さらに、遊技機がパチンコ機１でない場合にはもちろん、移動を監視される部材は上記実施の形態の部材に限らず、遊技機に備えられ、開閉が行われる開閉部材や装置を構成する構成部材であればよく、開閉部材の開閉や構成部材の所在を監視するために、１つ又は複数の監視タグを開閉部材や構成部材に設置して、その部材の移動を監視してもよい。
【００９７】
また、本実施の形態では、頻繁に不正の行われやすい本体枠１１０と機枠１１２、前面枠１１１と本体枠１１０の作業についてのみ作業回数を計数したが、その他の場所についての作業回数を計数するようにしてもよいことは言うまでもなく、第１監視場所（主基板ボックス８１）での作業についても計数を行ってもよい。また、上記実施の形態では、作業の開始、終了毎に「１」カウントアップしているが、作業の開始と終了とをセットにして「１」カウントアップしてもよい。
【００９８】
また、上記実施の形態では、ある係員の作業回数が６０回以上である場合、あるパチンコ機１の作業回数が２０回以上である場合、ある係員のあるパチンコ機１のある監視場所の作業回数が１０回以上である場合に報知を行ったが、報知を行う基準となる回数はこれに限らない。また、監視場所ごとに基準となる回数を設けて、監視場所ごとの作業回数を計数し、所定回数以上となったら報知を行うようにしてもよい。この場合には、報知の判断（上記実施の形態ではＳ１０５，Ｓ１０６，Ｓ１０７）を行う際に、監視場所を示す場所番号のチェックも設けて、その場所番号に対応した基準回数で報知の判断を行えばよい。
【００９９】
また、上記実施の形態では、作業内容（開閉と監視タグの交換）に関わらず作業回数を計測しているが、作業内容ごとに集計を行ってもよい。そして、所定回数以上となったら報知を行うようにしてもよい。さらに、作業内容により、報知の基準となる回数を異ならせてもよい。例えば、監視タグの交換では回数を少なくするようにしてもよい。
【０１００】
また、上記実施の形態では、管理装置は、島管理端末１００及びホールコンピュータ３００により構成され、Ｒ／Ｗユニット３０（第１管理装置）が異常判断手段と、認証識別情報記憶手段と、認証識別情報入力手段と、人物認証手段と、認証状態設定手段と、作業判断手段とを備え、ホールコンピュータ３００（総合管理装置）が作業情報記憶手段と、作業回数計数手段と、作業回数判断手段と、報知手段と、人物特定情報記憶手段と、人物特定手段とを備えているが、各手段は必ずしも各装置に備えられていなくてもよい。例えば、Ｒ／Ｗユニット３０（第１管理装置）に人物特定情報記憶手段と、人物特定手段とを備え、人物を特定した後にホールコンピュータ３００へ作業情報を送信してもよい。また、島管理端末１００を存在させずにＲ／Ｗユニット３０とホールコンピュータ３００とを直接接続させて、ホールコンピュータ３００のみを管理端末として機能させてもよい。
【０１０１】
また、上記実施の形態では、認証識別情報として認証カード９６に組み込まれている認証タグ９９の認証ＩＤを用い、人物情報入力手段としてこの認証タグ９９を読み出し、そのＩＤコードを読み出す手段を用いたが、人物情報はこれに限らない。例えば、指紋を読み取る指紋読取手段、瞳の虹彩を読み取る虹彩読取手段、音声を入力する音声入力手段、カメラ等の係員の生体情報を入力する人物情報入力手段を備え、人物情報としてそれらの人物情報入力手段から入力される係員の生体情報（指紋、虹彩、音声、顔写真など）を用いてもよい。そして、人物認証手段では、人物情報入力手段から入力された人物情報をパターンニングして、予め登録されている生体情報と比較することにより認証の可否を判断する。また、パスワードを入力させたり、認証ＩＤの記録されている磁気カードを使用したりしてもよい。また、上記実施の形態では、「管理装置」であるホールコンピュータ３００のＨＤＤ３８０の人物情報記憶エリア３８２が「人物特定情報記憶手段」に該当し、ＣＰＵ３０１により「人物特定手段」が実施されているが、「監視制御装置」であるＲ／Ｗユニット３０に「人物特定情報記憶手段」を備え、Ｒ／Ｗユニット３０のＣＰＵ３２において「人物特定手段」を実施してもよい。
【０１０２】
また、上記実施の形態では、作業回数が所定回数以上になった時点で報知を行ったが、報知のタイミングはこの限りではない。例えば、１日の営業が終了した後や営業開始前などの決まった時間や、毎時３０分など定期的に作業回数のチェックを行い、報知してもよい。また、上記実施の形態のように所定回数以上となった都度報知を行っている場合には、所定回数以上になりその後作業が行われ、作業回数に加算される都度報知されることになる。そこで、一度報知された場合にはカウントエリアをクリアしたり、一度報知されたらその後は所定回数ごとに報知するようにしたりしてもよい。
【０１０３】
また、作業の実施と遊技機から払い出された遊技球の数（払出球数）や大当たり抽選処理の開始（特別図柄の変動開始）とを関連付けて報知を行ってもよい。不正のための作業であれば、作業が行われた後に払出球数が増加したり、大当たり抽選の処理が開始されたりすることが考えられる。例えば、前面枠１１２を開放し、入賞口へ遊技球を入賞させたり、特別図柄始動電動役物へ遊技球を入賞させたりして、前面枠１１２を閉じる。そこで、遊技機から管理装置へ払出球の発生を示す信号や大当たり抽選の開始を示す信号を送信する。この信号は監視制御装置を介して送信してもよい。そして、例えば、作業が１回（所定回数＝１回）行われた場合に、そのことを即座に報知するのではなく、その後所定時間（例えば１分）の払出球数を計数し、その値が所定数以上（例えば、１０球以上）であれば、報知を行う。また、所定時間（例えば１０秒）以内に大当たり抽選の開始を示す信号を受信すれば、報知を行う。こうすることにより、不正のために行われた可能性がより高い作業の報知を行うことができる。
【０１０４】
また、作業が１回行われた場合に、払出球数や大当たり抽選の開始のチェックを行うのではなく、所定のタイミング（１日の営業が終了した後や営業開始前などの決まった時間や、毎時３０分など）でチェックを行い、作業回数を計測している期間の払出球数の数や大当たり抽選の回数が所定数以上であるか否かを判断して、所定数以上である場合に報知を行ってもよい。所定数は、固定の数値を設定してもよいし、前週の平均球数や平均回数としてもよい。
【産業上の利用可能性】
【０１０５】
本発明の遊技機はパチンコ機に限られず、パチコン機、パチスロ機等の各種の遊技機に適用可能である。
【図面の簡単な説明】
【０１０６】
【図１】本実施の形態の遊技場管理システムの構成図である。
【図２】パチンコ機１の前面枠１１１及び本体枠１１０を開いた状態をパチンコ機１の前面から見た斜視図である。
【図３】パチンコ機１の背面図である。
【図４】パチンコ機１及びパチンコ機１に付属したＲ／Ｗユニット３０の電気的構成を示すブロック図である。
【図５】Ｒ／Ｗユニット３０のＲＡＭ３４の記憶エリアを示す模式図である。
【図６】作業情報記憶エリア３４２の構成を示す模式図である。
【図７】認証設定情報記憶エリア３４５の構成を示す模式図である。
【図８】ホールコンピュータ３００の電気的構成を示すブロック図である。
【図９】人物情報記憶エリア３８２の構成を示す模式図である。
【図１０】作業情報記憶エリア３８４の構成を示す模式図である。
【図１１】計数情報記憶エリア３８６の構成を示す模式図である。
【図１２】Ｒ／Ｗユニット３０で行われるメイン処理の本発明に関する主な処理を示すフローチャートである。
【図１３】メイン処理の中で実施される認証処理のフローチャートである。
【図１４】メイン処理の中で実施される監視処理のフローチャートである。
【図１５】係員のあるパチンコ機１の作業回数が１０回以上となった場合の報知画面４０１のイメージ図である。
【図１６】パチンコ機１の作業回数が２０回以上となった場合の報知画面４０２のイメージ図である。
【図１７】ホールコンピュータ３００が作業情報を受信した際に行われるホールコンピュータ処理のフローチャートである。
【符号の説明】
【０１０７】
１  パチンコ機
３０  Ｒ／Ｗユニット
３２  ＣＰＵ
３３  ＲＯＭ
３４  ＲＡＭ
３５  ＥＥＰＲＯＭ
３６  通信回路
３７  Ｉ／Ｏインタフェイス
３８  ＲＦ回路
６８  監視アンテナ
６９  認証アンテナ
８６  監視タグ
９０  カード読み取り器
９６  認証カード
９９  認証タグ
１００  島管理端末
１５０  店内ネットワーク
３００  ホールコンピュータ
３０１  ＣＰＵ
３０２  ＲＡＭ
３０３  ＲＯＭ
３０４  Ｉ／Ｏインタフェイス
３１１  ディスプレイ
３４２  作業情報記憶エリア
３４５  認証設定情報記憶エリア
３８０  ハードディスク装置
３８２  人物情報記憶エリア
３８４  作業情報記憶エリア
３８６  計数情報記憶エリア
４０１  報知画面
４０２  報知画面
【図１】
2006081702.tif 000003
【図２】
2006081702.tif 000004
【図３】
2006081702.tif 000005
【図４】
2006081702.tif 000006
【図５】
2006081702.tif 000007
【図６】
2006081702.tif 000008
【図７】
2006081702.tif 000009
【図８】
2006081702.tif 000010
【図９】
2006081702.tif 000011
【図１０】
2006081702.tif 000012
【図１１】
2006081702.tif 000013
【図１２】
2006081702.tif 000014
【図１３】
2006081702.tif 000015
【図１４】
2006081702.tif 000016
【図１５】
2006081702.tif 000017
【図１６】
2006081702.tif 000018
【図１７】
2006081702.tif 000019